(57)【要約】【課題】陳列板の表面を中間位置で自在に屈曲でき、しかも陳列板表面の角度を平面も含めて所望する角度に保持可能とすることにより、従来の商品陳列台に比べて、多様な態様で商品を陳列しうるようにした商品陳列台を提供する。【解決手段】商品を載置して陳列するための陳列板２と、この陳列板２を支持する基台３とを備える商品陳列台１において、陳列板２を、左右方向を向く枢軸１５をもって互いに回動自在に枢着された少なくとも前後２枚の板材１６、１７からなるものとし、かつ、両板材１６、１７の相互間に、相互の角度を調節しうる角度調節手段１８を設ける。【選択図】        図５
2004261333.tif 000002
【特許請求の範囲】
【請求項１】
商品を載置して陳列するための陳列板と、この陳列板を支持する基台とを備える商品陳列台において、前記陳列板を、左右方向を向く枢軸をもって互いに回動自在に枢着された少なくとも前後２枚の板材からなるものとし、かつ、両板材の相互間に、相互の角度を調節しうる角度調節手段を設けたことを特徴とする商品陳列台。
【請求項２】
角度調節手段が、互いに左右方向に重合するように両板材より突出する１対の突片のいずれか一方における枢軸を中心とする同一円周上に設けられた複数のピン挿入孔と、他方の突片における前記枢軸から前記ピン挿入孔と等距離の位置に設けられた少なくとも１個のピン保持孔と、このピン保持孔と選択したピン挿入孔とに挿入することにより、両板材の相互の角度を、選択したピン挿入孔に関連する角度に固定するようにしたピンとを備えるものとした請求項１記載の商品陳列台。
【請求項３】
角度調節手段が、互いに左右方向に重合するように両板材より突出する１対の突片のいずれか一方に設けられた、枢軸を中心とする円弧状の長孔と、他方の突片における前記枢軸から前記長孔と等距離の位置に設けられた少なくとも１個の通孔と、この通孔と前記長孔とを貫通して、両突片同士を締着することにより、両板材同士を所望の角度で固定しうるようにした締着手段とを備えるものとした請求項１記載の商品陳列台。
【請求項４】
陳列板の前端部を、基台の前部に左右方向を向く軸をもって枢着し、陳列板の後部を、高さ調節手段を介して基台の後部に支持させ、かつ陳列板の中間部を中折れ可能とした請求項１〜３のいずれかに記載の商品陳列台。
【請求項５】
高さ調節手段が、基台に固着され、かつ複数の係止部が上下方向に並べて設けられた受け部材と、上端部が陳列板の後部に左右方向を向く軸をもって枢着され、かつ下端部が前記複数の係止部のいずれにも係止可能としたほぼ上下方向を向く支持杆とを備え、前記支持杆の下端部が係合する係止部を変更することにより、陳列板の後部の高さを調節しうるようにした請求項４記載の商品陳列台。
【請求項６】
陳列板の両側縁または前後縁に、陳列物の落下防止用の起立片を設けた請求項１〜５のいずれかに記載の商品陳列台。
【発明の詳細な説明】
【０００１】
【発明の属する技術分野】
本発明は、スーパーマーケットやホームセンター、コンビニエンスストア等に設置される商品陳列台に関する。
【０００２】
【従来の技術】
従来のこの種の商品陳列台には、商品を載置して陳列する陳列板の前端部を、基台の前部に左右方向を向く軸をもって枢着し、かつ陳列板の後部を、高さ調節手段を介して基台の後部に支持させることにより、陳列板を水平状態だけでなく、任意の後上向き傾斜状態でも保持しうるようにしたものがある（例えば特許文献１参照）。
【０００３】
【特許文献１】
特開２００１−１０４１２０号公報（図１及び図６）
【０００４】
【発明が解決しようとする課題】
しかし、上述のような従来の商品陳列台では、陳列板の商品載置面は実質的に一面だけであり、その傾斜角度を変更したとしても、陳列態様を多様に変化させることはできず、例えば、異なる商品を異なる傾斜角度で体裁よく陳列したり、多品種で少量の商品を、品種毎に体裁よく区分して陳列したりすることが難しい。
【０００５】
本発明は、従来の技術が有する上述のような問題点に鑑みてなされたもので、陳列板の表面を中間位置で自在に屈曲でき、しかも陳列板表面の角度を平面も含めて所望する角度に保持可能とすることにより、従来の商品陳列台に比べて、多様な態様で商品を陳列しうるようにした商品陳列台を提供することを目的としている。
【０００６】
【課題を解決するための手段】
本発明によると、上記課題は、次のようにして解決される。
（１）  商品を載置して陳列するための陳列板と、この陳列板を支持する基台とを備える商品陳列台において、前記陳列板を、左右方向を向く枢軸をもって互いに回動自在に枢着された少なくとも前後２枚の板材からなるものとし、かつ、両板材の相互間に、相互の角度を調節しうる角度調節手段を設ける。
【０００７】
（２）  前記（１）項において、角度調節手段が、互いに左右方向に重合するように両板材より突出する１対の突片のいずれか一方における枢軸を中心とする同一円周上に設けられた複数のピン挿入孔と、他方の突片における前記枢軸から前記ピン挿入孔と等距離の位置に設けられた少なくとも１個のピン保持孔と、このピン保持孔と選択したピン挿入孔とに挿入することにより、両板材の相互の角度を、選択したピン挿入孔に関連する角度に固定するようにしたピンとを備えるものとする。
【０００８】
（３）  前記（１）項において、角度調節手段が、互いに左右方向に重合するように両板材より突出する１対の突片のいずれか一方に設けられた、枢軸を中心とする円弧状の長孔と、他方の突片における前記枢軸から前記長孔と等距離の位置に設けられた少なくとも１個の通孔と、この通孔と前記長孔とを貫通して、両突片同士を締着することにより、両板材同士を所望の角度で固定しうるようにした締着手段とを備えるものとする。
【０００９】
（４）  前記（１）〜（３）項のいずれかにおいて、陳列板の前端部を、基台の前部に左右方向を向く軸をもって枢着し、陳列板の後部を、高さ調節手段を介して基台の後部に支持させ、かつ陳列板の中間部を中折れ可能とする。
【００１０】
（５）  前記（４）項において、高さ調節手段が、基台に固着され、かつ複数の係止部が上下方向に並べて設けられた受け部材と、上端部が陳列板の後部に左右方向を向く軸をもって枢着され、かつ下端部が前記複数の係止部のいずれにも係止可能としたほぼ上下方向を向く支持杆とを備え、前記支持杆の下端部が係合する係止部を変更することにより、陳列板の後部の高さを調節しうるようにする。
【００１１】
（６）  前記（１）〜（５）項のいずれかにおいて、陳列板の両側縁または前後縁に、陳列物の落下防止用の起立片を設ける。
【００１２】
【発明の実施の形態】
以下、本発明の第１の実施形態である商品陳列台を、図１〜図７を参照して説明する。
【００１３】
図１及び図２に示すように、この商品陳列台（１）は、商品を載置して陳列するための陳列板（２）と、この陳列板（２）を支持する基台（３）とを備えている。
基台（３）は、前後１対の縦杆（４）（４）の上下の端部同士を、前後方向を向く水平杆（５）（５）をもって互いに連結して形成した左右１対の方形の側枠（６）（６）の前上部同士、後上部同士、及び後下部同士を、左右方向を向く横杆（７）をもって互いに連結してなるフレーム（８）と、このフレーム（８）の前後面及び両側面に設けた前面板（９）、後面板（１０）及び両側板（１１）（１１）と、フレーム（８）の下面四隅に設けたキャスタ（１２）とを備えている。
【００１４】
前面板（９）、後面板（１０）及び両側板（１１）（１１）は、フレーム（８）に釘等をもって固着してもよいが、それらの内面に設けたフック（図示略）を、縦杆（４）に設けた係止孔（図示略）に係止させることにより、フレーム（８）に着脱自在に装着してもよい。
【００１５】
前面板（９）及び後面板（１０）の上端は、フレーム（８）の上面、すなわち上部の横杆（７）の上面より若干下位となるようにしてある。
【００１６】
なお、左右の側枠（６）（６）の前下部同士も、横杆（７）によって互いに連結してもよい。
【００１７】
各側枠（６）における後部の縦杆（４）の左右方向の幅は、前部の縦杆（４）のものより若干大としてあり、その後部の縦杆（４）の内側面には、前縁に複数の上向きフック状の係止部（１３）が上下方向に並べて設けられた受け部材（１４）の後端部が固着されている。
【００１８】
陳列板（２）は、左右方向を向く枢軸（１５）をもって互いに回動自在に枢着された前板材（１６）と後板材（１７）とからなり、それらの相互間には、相互の角度を調節しうる角度調節手段（１８）が設けられている。
【００１９】
前後の板材（１６）（１７）は、下方に向かって開口する断面下向きコ字状をなす前後方向を向く左右１対の側部補強杆（１９）（１９）と、それらの前後部同士を連結する左右方向を向く連結杆（２０）（２０）とからなる補強フレーム（２１）と、その上に載置され、かつ必要に応じてねじ止めされた平板状の商品載置板（２２）と、補強フレーム（２１）の両側面に固着され、商品載置板（２２）の両側方より起立する側板（起立片）（２３）（２３）とを備えている。
【００２０】
前板材（１６）における左右の側部補強杆（１９）（１９）の前端部には、側面視Ｌ字状の前補強杆（２４）の両端部が固着され、その前面には、前面板（起立片）（２５）が固着されている。
【００２１】
後板材（１７）における左右の側部補強杆（１９）（１９）の後端部には、角管状の後補強杆（２６）の両端が固着され、その後面には、後面板（起立片）（２７）が固着されている。
【００２２】
図３に示すように、前板材（１６）における左右の側部補強杆（１９）（その左方のもののみを図示する）の外側の側片（１９ａ）と内側の側片（１９ｂ）との後端には、後方を向く上下幅の小さい突片（２８）と、同じく上下幅の大きい突片（２９）とがそれぞれ突設されている。
【００２３】
また、後板材（１７）における左右の側部補強杆（１９）の外側の側片（１９ａ）と内側の側片（１９ｂ）との前端には、前方を向く上下幅の小さい突片（３０）と同じく上下幅の大きい突片（３１）とがそれぞれ突設されている。
【００２４】
左右に対向する突片（２８）（２９）及び（３０）（３１）の互いに左右に整合する位置には軸孔（３２）がそれぞれ穿設されており、それらの軸孔（３２）がすべて一直線に並ぶように、突片（２８）と突片（３０）、及び突片（２９）と突片（３１）を互いに左右に重合させて、全軸孔（３２）に枢軸（１５）を嵌挿することにより、前板材（１６）と後板材（１７）とは互いに枢着されている。
【００２５】
なお、枢軸（１５）は、この側では、有頭ピン（１５ａ）の先端に設けた小径ねじ（１５ｂ）を、短寸の有頭ピン（１５ｃ）の先端に設けたねじ孔（１５ｄ）に螺合させることにより、両有頭ピン（１５ａ）（１５ｃ）が互いに結合されるようにしたものとしてある。
【００２６】
上下幅の大きい突片（２９）には、枢軸（１５）から等距離の位置に前後１対のピン保持孔（３３）（３３）が穿設されている。
【００２７】
また、突片（３１）には、枢軸（１５）を中心とし、かつ枢軸（１５）から上記ピン保持孔（３３）までの距離を半径とする同一円周上に、複数の、この例では５個のピン挿入孔（３４）が等間隔をもって穿設されている。
【００２８】
しかして、前後いずれかのピン保持孔（３３）と、任意に選択したいずれかのピン挿入孔（３４）とを互いに整合させて、それらにピン（３５）を挿入することにより、前後の板材（１６）（１７）の相互の角度を、選択したピン保持孔（３３）とピン挿入孔（３４）との各位置によって定まる角度に固定することができる。
【００２９】
すなわち、各突片（２９）（３１）に設けられたピン保持孔（３３）及びピン挿入孔（３４）と、ピン（３５）とにより、角度調節手段（１８）が形成されている。
【００３０】
前板材（１６）は、その前部の連結杆（２０）の下面を、左右方向を向くヒンジ軸（３６ａ）を有する左右１対の蝶番（３７）における一方のヒンジ片（３６ｂ）に固着し、かつ他方のヒンジ片（３６ｃ）を、フレーム（８）における前上部の横杆（７）の上面に固着することにより、フレーム（８）に枢着されている。
【００３１】
後板材（１７）における断面形状を下向きコ字状とした後部の連結杆（２０）内には、支持杆（３７）の上端における左右方向を向く棒軸（３８）が、回動自在に枢支されている。
【００３２】
支持杆（３７）は、棒軸（３８）と、その両端より若干内方の部分から垂下する左右１対の縦杆（３９）（３９）と、それらの下端に両端より若干内方の部分が固着された、左右方向を向く棒状の横杆（４０）とからなり、横杆（４０）を、基台（３）における左右の受け部材（１４）（１４）の所望の係止部（１３）に係止させることにより、後板材（１７）の後部を、係止部（１３）の位置と支持杆（３７）の上下方向の長さとにより定まる所望の高さに保持することができるようになっている。
【００３３】
この支持杆（３７）と受け部材（１４）とにより、陳列板（２）の後部の高さを調節する高さ調節手段（４１）が形成されている。
【００３４】
第１の実施形態においては、角度調節手段（１８）と高さ調節手段（４１）とを適宜調節することにより、例えば、図４に示すように、陳列板（２）における前板材（１６）と後板材（１７）とが、側面視において一直線上に並び、かつそれらが連続した後上向き傾斜するようにして陳列板（２）を保持したり、図５に示すように、基台（３）に対して、前板材（１６）が小さい傾斜角度をもって後上向き傾斜し、かつ後板材（１７）がそれより大きい傾斜角度をもって後上向き傾斜するように、陳列板（２）を保持したり、または図６に示すように、前板材（１６）が後上向き傾斜し、かつ後板材（１７）が、水平をなす（または前板材（１６）より小さい角度で後上向き傾斜するか、もしくは後下向き傾斜する）ように、陳列板（２）を保持したりすることができる。
【００３５】
また、図７に示すように、図４に示すものと同様とした２個の商品陳列台（１）（１）を、互いに背中合わせとして配設し、島型の商品陳列を図ることもできる。
【００３６】
なお、図５に示すように、前板材（１６）と後板材（１７）とを、それらの上面が１８０°より小さい角度をなすように角度設定したとき、前後の側板（２３）（２３）が互いに干渉し合わないようにするため、前方の側板（２３）の後端は前上向き傾斜するように、また後方の側板（２３）の前端は後上向き傾斜するように、それぞれ斜切してある。
【００３７】
前面板（９）の上端及び後面板（１０）の上端を、基台（３）のフレーム（８）の上面より下位としたのは、前板材（１６）が後上向き傾斜したとき、及び後板材（１７）が後下向き傾斜したとき、それらに干渉しないようにするためである。
【００３８】
図８は、本発明の第２の実施形態を示す。
【００３９】
なお、第１の実施形態におけるのと同一の部材には同一の符号を付して図示するに止め、それらについての詳細な説明は省略する。
【００４０】
この例では、両突片（２９）（３１）に、枢軸（１５）を中心とする互いに同一曲率の長孔（４２）（４３）を設け、それらを挿通するボルト（４４）とナット（４５）とからなる締着手段（４６）により、両突片（２９）（３０）を任意の交差状態で互いに締着することにより、両板材（１６）（１７）同士を、所望の角度で固定しうるようにしてある。
【００４１】
なお、長孔（４２）（４３）のいずれか一方を、ボルト（４４）の軸部が挿通しうる程度の内径の通孔として実施することもできる。
【００４２】
この例では、長孔（４２）（４３）（または通孔）と、締着手段（４６）とにより、角度調節手段（１８）が形成され、第１の実施形態と同様の作用効果を奏することができる。
【００４３】
【発明の効果】
本発明によると、次のような効果を奏することができる。
（１）  請求項１記載の発明によると、角度調節手段により、前後の板材の相互の角度を変更することによって、陳列板を側面視において中折れ状としたり、山形状としたりすることができ、従来の商品陳列台に比べて、多様な態様で商品を陳列することができる。
したがって、多種多様な商品を、それらの性状に適した陳列態様で陳列することができる。
【００４４】
請求項２記載の発明によると、角度調節手段を簡単な構造とすることができるとともに、ピンを所望のピン挿入孔とピン保持孔とに挿脱するという簡単な操作で、前後の板材同士を所望の段階的な角度で固定したり、フリーとしたりすることができる。
【００４５】
請求項３記載の発明によると、前後の板材同士を、無段階の任意の交差角度で固定することができる。
【００４６】
請求項４記載の発明によると、陳列板が、基台に対して不用意に移動したり、基台から外れたりすることがなく、しかも、陳列板を、中折れ状態や山形状態としたままで、その後部を所望位置まで持ち上げて傾斜させることができ、陳列態様をさらに多様化することができる。
【００４７】
請求項５記載の発明によると、高さ調節手段を簡単な構造とすることができるとともに、簡単な操作で高さ調節することができる。
【００４８】
請求項６記載の発明によると、陳列板上に載置した商品が陳列板から落下するのを確実に防止でき、特に陳列板を傾斜させたときに、その効果を十分に発揮することができる。
【図面の簡単な説明】
【図１】本発明の第１の実施形態の側板を外した状態の側面図である。
【図２】同じく、分解斜視図である。
【図３】同じく、要部の拡大分解斜視図である。
【図４】陳列板の前板材と後板とを直線状として、陳列板の後部を持ち上げた使用状態を示す、図１と同様の側面図である。
【図５】陳列板を中折れ状態として、その後部を持ち上げた使用状態を示す、図１と同様の側面図である。
【図６】陳列板の前板材を後上向き傾斜とし、かつ後板材を水平とした使用状態を示す、図１と同様の側面図である。
【図７】図４図示の状態とした２個の商品陳列台を互いに背中合わせとして配置したときの状態を示す斜視図である。
【図８】本発明の第２の実施形態における、図３と同様の部分の分解斜視図である。
【符号の説明】
（１）商品陳列台
（２）陳列板
（３）基台
（４）縦杆
（５）水平杆
（６）側枠
（７）横杆
（８）フレーム
（９）前面板
（１０）後面板
（１１）側板
（１２）キャスタ
（１３）係止部
（１４）受け部材
（１５）枢軸
（１５ａ）（１５ｃ）有頭ピン
（１５ｂ）小径ねじ
（１５ｄ）ねじ孔
（１６）前板材
（１７）後板材
（１８）角度調節手段
（１９）側部補強杆
（１９ａ）（１９ｂ）側片
（２０）連結杆
（２１）補強フレーム
（２２）商品載置板
（２３）側板（起立片）
（２４）前補強杆
（２５）前面板（起立片）
（２６）後補強杆
（２７）後面板（起立片）
（２８）（２９）（３０）（３１）突片
（３２）軸孔
（３３）ピン保持孔
（３４）ピン挿入孔
（３５）ピン
（３６）蝶番
（３６ａ）ヒンジ軸
（３６ｂ）（３６ｃ）ヒンジ片
（３７）支持杆
（３８）棒軸
（３９）縦杆
（４０）横杆
（４１）高さ調節手段
（４２）（４３）長孔
（４４）ボルト
（４５）ナット
（４６）締着手段
【図１】
2004261333.tif 000003
【図２】
2004261333.tif 000004
【図３】
2004261333.tif 000005
【図４】
2004261333.tif 000006
【図５】
2004261333.tif 000007
【図６】
2004261333.tif 000008
【図７】
2004261333.tif 000009
【図８】
2004261333.tif 000010